(57)【要約】【課題】低インダクタンス、高磁界強度を実現した磁界変調ヘッドを提供すること。【解決手段】この磁界変調ヘッドは、磁極部４にコイル６を装着し、磁極部４を支持する本体部３とコイル６との間にスペーサ８を設置し、コイル縁面１２をコア端面１０に近づけ又は一致させた構成である。係る構成とすれば、コア端面１０とコイル縁面１２とがスペーサ８によって調整され、コイル電流が同一電流値で記録用磁界強度を増大させることができるとともに、インダクタンスを低下させることができる。【選択図】        図１
2004303362.tif 000002
【特許請求の範囲】
【請求項１】
磁極部にコイルを装着し、前記磁極部を支持する本体部と前記コイルとの間にスペーサを設置し、コイル縁面をコア端面に近づけ又は一致させたことを特徴とする磁界変調ヘッド。
【請求項２】
前記スペーサは非磁性材料であることを特徴とする請求項１記載の磁界変調ヘッド。
【請求項３】
前記スペーサは前記コイルと相似形の環状体であることを特徴とする請求項１記載の磁界変調ヘッド。
【請求項４】
前記スペーサの高さは前記磁極部の高さの５０％以下に設定したことを特徴とする請求項１記載の磁界変調ヘッド。
【発明の詳細な説明】
【０００１】
【発明の属する技術分野】
本発明は、ＭＯやＭＤ等の光磁気記録媒体の磁気記録に用いられる磁界変調ヘッドに係り、特に、コア及びコイルの樹脂被覆、コア端面の加工処理を改善した磁界変調ヘッドに関する。
【０００２】
【従来の技術】
ＭＯやＭＤ等の光磁気ディスクの磁気記録に用いられる磁界変調ヘッドでは、光磁気ディスクに摺接するスライダにコア及びコイルからなる磁気発生部が設置されている。
【０００３】
この種の磁界変調ヘッドには、次のような特許文献が存在している。
【０００４】
【特許文献１】
特開平１０─２８３６０４号公報
【０００５】
この特許文献１には、樹脂モールドを施すことなくコイルが固定されており、そのコイルからコアの突出量を必要以上に大きくする必要がない磁界変調ヘッドが開示されている。
【０００６】
【発明が解決しようとする課題】
ところで、光磁気ディスク等の光磁気記録媒体の単位面積あたり記録容量、即ち、記録密度や記録速度を向上させたいという要請があり、かかる要請から磁界変調ヘッドの特性向上が求められている。
【０００７】
光磁気ディスクの高記録密度化を達成するには、磁界強度及び記録周波数を高める必要がある。記録周波数を上げるには磁界の反転時間を小さく、即ち、磁界変調ヘッドのインダクタンス値を低減（例えば、１μＨ以下に）する必要がある。
【０００８】
また、コア体積を減少するには、磁気記録面に対して断面積の小さいコアの使用が有利である。コア体積が小さくても、コア径が大きい場合には、磁界強度を増強する必要があり、磁界強度を増強するにはコイルの巻数を増加させればよいが、コイルの巻数の増加は磁界変調ヘッドのインダクタンスを増加させ、かかる方法では、光磁気ディスクの高記録密度化を達成し難い。そこで、磁界強度を増強し、かつ、磁界変調ヘッドのインダクタンスを小さくするには、磁界変調ヘッドコアの大きさを小さくし、又はディスク面と磁界変調ヘッドとの距離を近づける等の方法を採用する必要がある。
【０００９】
また、磁界変調ヘッドでは、コアに対するコイルの挿入位置で発生磁界が異なることが知られているが、例えば、図３の（Ａ）及び（Ｂ）に示すように、コア１００の磁極部１０２にコイル１０４が巻回されている。図３の（Ａ）に示すように、磁極部１０２に合わせてコイル１０４の高さｈを大きくすると、巻回数の増加によりインダクタンスが増加し、また、図３の（Ｂ）に示すうよに、コイル１０４の高さｈ１  を磁極部１０２の高さｈ２  より低くするとと、発生磁界が低下する。
【００１０】
そして、図４の（Ａ）及び（Ｂ）に示すように、同一のコア１００及びコイル１０４を用いた磁界変調ヘッドにおいて、コイル１０４をコア１００の先端側に配置した図４の（Ｂ）に示す磁界変調ヘッドの方が図４の（Ａ）の場合に比較し、発生磁界が強くなる。同一の発生磁界では、図４の（Ｂ）に示す磁界変調ヘッドの方が駆動電流が小さく、省電力化を図ることができる。そこで、省駆動電流、省電力化のためには、図４の（Ｂ）に示すように、コア１００の磁極部１０２の先端面とコイル１０４の縁面とを同一面とすることが望ましい。
【００１１】
ところで、省電力化等のために磁極部１０２を細くすると、機械的強度が低下し、磁極部１０２の先端面とコイル１０４の縁面とを同一面になるように、磁極部１０２にコイル１０４を取り付けることは作業上、極めて困難である。
【００１２】
実際には、例えば、高密度、高転送レート化により光磁気記録の変調速度が１０ＭＨｚを超えて２０ＭＨｚ以上の駆動周波数を要求されており、特に、ポータブル機器の場合、電池駆動であるため、ヘッド駆動電圧も低く、磁極サイズが１００×１００（μｍ）、低インダクタンス（０．５μＨ程度）の磁界変調ヘッドが求められている。しかし、磁極が小さくなると、ヘッドクラッシュのおそれがある。このような課題は、特許文献１によっては解決することができない。
【００１３】
そこで、本発明は、低インダクタンス、高磁界強度を実現した磁界変調ヘッドを提供することを目的とする。
【００１４】
【課題を解決するための手段】
上記目的を達成するため、本発明の磁界変調ヘッドは、磁極部４にコイル６を装着し、前記磁極部を支持する本体部３と前記コイルとの間にスペーサ８を設置し、コイル縁面１２をコア端面１０に近づけ又は一致させた構成である。
【００１５】
係る構成とすれば、コア端面とコイル縁面とがスペーサによって調整され、コイル電流が同一電流値で記録用磁界強度を増大させることができるとともに、インダクタンスを低下させ、ヘッド駆動回路の設計が容易化され、製造コストの低減が図られる。
【００１６】
上記目的を達成するためには、前記スペーサは非磁性材料で構成してもよい。係る構成とすれば、発生磁界を乱すことがない。
【００１７】
上記目的を達成するためには、前記スペーサは前記コイルと相似形の環状体で構成してもよい。係る構成とすれば、磁極部にコイルと同様にスペーサが装着され、コイルの高さ調整が容易化される。
【００１８】
上記目的を達成するためには、前記スペーサの高さは前記磁極部の高さの５０％以下に設定してもよい。係る構成とすれば、低インダクタンスとともに、高磁界強度が実現される。
【００１９】
【発明の実施の形態】
本発明の実施形態に係る磁界変調ヘッドを図１を参照して説明する。図１は磁界変調ヘッドの概要を示している。
【００２０】
コア２は磁性材料で形成され、このコア２には、板状の本体部３に例えば、磁極部４が形成されている。この磁極部４は、例えば、端面を長方形状とした角柱体である。この磁極部４には、コイル６とともに、スペーサ８が装着されている。コイル６には、例えば、磁極部４に対応する空洞部７を持つ空芯コイルが用いられる。また、スペーサ８は、例えば、ナイロン等の非磁性材料で形成された環状体であって、コイル６と相似形である。
【００２１】
この実施形態ではコア２に形成された磁極部４の基部側にスペーサ８を装着して本体部３の上面に載せた後、その上にコイル６が装着され、図示しない樹脂等によって固定されている。コア２の上面からの磁極部４の高さをｈｍ、コイル６の高さをｈｃ、スペーサ８の高さをｈｓとすれば、
ｈｍ＝ｈｃ＋ｈｓ                  ・・・・（１）
となり、この実施形態では、磁極部４のコア端面１０とコイル縁面１２とが一致している。即ち、ｈｍ＞ｈｃとなる関係にあるとすれば、式（１）  からｈｍ−ｈｃ＝ｈｓとなり、スペーサ８の高さｈｓにより、磁極部４の高さｈｍに対し、コイル縁面１２の高さ（ｈｃ＋ｈｓ）を任意に調整でき、コア端面１０にコイル縁面１２を近づけ又は一致させることができる。そして、この実施形態では、コイル６の高さｈｃは、磁極部４の高さｈｍの５０％以下に設定されている。
【００２２】
係る構成を備えた磁界変調ヘッド１４によれば、従来の磁界変調ヘッドと同様の巻き数のコイルを用いて同一のコイル電流値であっても、磁極部４のコア端面１０から得られる記録用磁界強度が増大し、コイル６等のインダクタンスを低下させることができ、ヘッド駆動回路の設計が容易になる。
【００２３】
次に、本発明に係る磁界変調ヘッドの実験結果を表１を参照して説明する。表１は、測定条件を示している。
【００２４】
【表１】
2004303362.tif 000003
【００２５】
このような測定条件により測定された従来品と本発明品との磁界強度を図２を参照して説明する。図２は磁界分布を示し、磁極に対する磁界強度を表している。図２において、Ａは本発明品の特性、Ｂは従来品である。本発明品の磁界強度は、従来品に比較し、大幅に増強されていることが分かる。
【００２６】
そして、この実施形態のように、コイル６の高さｈｃを磁極部４の高さｈｍの５０％以下に設定すれば、インダクタンスを低下させ、必要な磁界強度が得られることが実験により確認された。
【００２７】
なお、実施形態では光磁気ディスク等の光磁気記録媒体の磁気記録用の磁界変調ヘッドを例に取って説明したが、本発明は、各種の磁気ヘッドに適用できるものであり、実施形態に限定されるものではない。
【００２８】
【発明の効果】以上説明したように、本発明によれば、低インダクタンス化を図るとともに、高磁界強度の磁界変調ヘッドを実現することができる。
【図面の簡単な説明】
【図１】本発明の実施形態に係る磁界変調ヘッドを示す断面図である。
【図２】本発明品と従来品の磁界分布を示す図である。
【図３】磁界変調ヘッドを示し、（Ａ）はコア端面とコイル縁面とを一致させた状態を示す図、（Ｂ）はコイル縁面よりコア端面を露出させた状態を示す図である。
【図４】磁界変調ヘッドを示し、（Ａ）はコアの中間部にコイルを設置した状態を示す図、（Ｂ）はコアの先端側にコイルを設置した状態を示す図である。
【符号の説明】
２  コア
３  本体部
４  磁極部
６  コイル
８  スペーサ
１０  コア端面
１２  コイル縁面
【図１】
2004303362.tif 000004
【図２】
2004303362.tif 000005
【図３】
2004303362.tif 000006
【図４】
2004303362.tif 000007